(57)【特許請求の範囲】
【請求項１】
直列に接続された複数のバッテリ（６）を有する複数の棒状バッテリモジュール（７）を、それらの軸線が１つの方向（Ａ）と平行し、且つその方向（Ａ）と交差する仮想平面（Ｂ）にて各軸中心が縦方向および横方向に並ぶように配列してなるバッテリ集合体（５）における、相隣る一方の前記バッテリモジュール（７）の正極（２７）と他方の前記バッテリモジュール（７）の負極（２９）との接続構造であって、
無端状をなしていて、前記相隣る一方のバッテリモジュール（７）の正極（２７）の外周面と、前記他方のバッテリモジュール（７）の負極（２９）の外周面とにそれぞれ巻掛けられた接続用金属ベルト（３４）を備えていることを特徴とする、バッテリ集合体における正極と負極との接続構造。
【請求項２】
前記接続用金属ベルト（３４）のたるみを除去する緊張手段（Ｍ1 ）を備えている、請求項１記載のバッテリ集合体における正極と負極との接続構造。
【請求項３】
直列に接続された複数のバッテリ（６）を有する複数の棒状バッテリモジュール（７）を、それらの軸線が１つの方向（Ａ）と平行し、且つその方向（Ａ）と交差する仮想平面（Ｂ）にて各軸中心が縦方向および横方向に並ぶように配列してなるバッテリ集合体（５）における、相隣る一方の前記バッテリモジュール（７）の正極（２７）と他方の前記バッテリモジュール（７）の負極（２９）との接続構造であって、
一端部側を相隣る一方の前記バッテリモジュール（７）の正極（２７）に、また他端部側を他方の前記バッテリモジュール（７）の負極（２９）にそれぞれ巻掛けられた接続用金属ベルト（３４）を備えていることを特徴とする、バッテリ集合体における正極と負極との接続構造。
【請求項４】
前記接続用金属ベルト（３４）の一端部がベルト用収納ケース（３５）に固定され、他端部が前記収納ケース（３５）に回転可能に支持された軸部材（７０）に連結され、その軸部材（７０）の一方向への回転で前記金属ベルト（３４）を緊張させた状態にて、その軸部材（７０）の他方向への回転を止める回転止め手段（Ｍ2 ）を備えている、請求項３記載のバッテリ集合体における正極と負極との接続構造。
【請求項５】
前記正極（２７）および負極（２９）にＳ字状に巻掛けられた前記接続用金属ベルト（３４）の一端部を連結された第１の歯車（８５）と、その接続用金属ベルト（３４）の他端部を連結された第２の歯車（８６）と、一方向への回転で、前記第１、第２の歯車（８５，８６）を前記接続用金属ベルト（３４）を緊張させる方向に回転させる第３の歯車（７６）と、その第３の歯車（７６）の他方向への回転を止める回転止め手段（Ｍ3 ）とを有する、請求項３記載のバッテリ集合体における正極と負極との接続構造。
【発明の詳細な説明】
【０００１】
【発明の属する技術分野】
本発明は、バッテリ集合体における正極と負極との接続構造に関する。
【０００２】
【従来の技術】
従来、この種のバッテリ集合体としては、直列に接続された複数のバッテリを有する複数の棒状バッテリモジュールを、それらの軸線が１つの方向と平行し、且つその方向と交差する仮想平面にて各軸中心が縦方向および横方向に並ぶように配列したものが知られている。このバッテリ集合体において、相隣る一方のバッテリモジュールの正極と他方のバッテリモジュールの負極とを接続する場合、それら正、負極にねじ孔を設け、それらねじ孔にバスバーの両端部を貫通するボルトをねじ込む、といった手段が採用されている。
【０００３】
【発明が解決しようとする課題】
しかしながら従来構造においては、ボルトのねじ込みの際にバッテリモジュールにねじれが生じ、それに起因して相隣る両バッテリ間の接続部が破断するおそれがあった。
【０００４】
【課題を解決するための手段】
本発明は正極と負極との接続に際し、バッテリモジュールにねじれが発生することのない前記接続構造を提供することを目的とする。
【０００５】
前記目的を達成するため、請求項１の発明は、直列に接続された複数のバッテリを有する複数の棒状バッテリモジュールを、それらの軸線が１つの方向と平行し、且つその方向と交差する仮想平面にて各軸中心が縦方向および横方向に並ぶように配列してなるバッテリ集合体における、相隣る一方の前記バッテリモジュールの正極と他方の前記バッテリモジュールの負極との接続構造であって、無端状をなしていて、前記相隣る一方のバッテリモジュールの正極の外周面と、前記他方のバッテリモジュールの負極の外周面とにそれぞれ巻掛けられた接続用金属ベルトを備えていることを特徴とし、また請求項２の発明は、請求項１の発明の前記特徴に加えて、前記接続用金属ベルトのたるみを除去する緊張手段を備えていることを特徴とする。
【０００６】
また前記目的を達成するために、請求項３の発明は、直列に接続された複数のバッテリを有する複数の棒状バッテリモジュールを、それらの軸線が１つの方向と平行し、且つその方向と交差する仮想平面にて各軸中心が縦方向および横方向に並ぶように配列してなるバッテリ集合体における、相隣る一方の前記バッテリモジュールの正極と他方の前記バッテリモジュールの負極との接続構造であって、一端部側を相隣る一方の前記バッテリモジュールの正極に、また他端部側を他方の前記バッテリモジュールの負極にそれぞれ巻掛けられた接続用金属ベルトを備えていることを特徴とし、また請求項４の発明は、請求項３の発明の前記特徴に加えて、前記接続用金属ベルトの一端部がベルト用収納ケースに固定され、他端部が前記収納ケースに回転可能に支持された軸部材に連結され、その軸部材の一方向への回転で前記金属ベルトを緊張させた状態にて、その軸部材の他方向への回転を止める回転止め手段を備えていることを特徴とし、また請求項５の発明は、請求項３の発明の前記特徴に加えて、前記正極および負極にＳ字状に巻掛けられた前記接続用金属ベルトの一端部を連結された第１の歯車と、その接続用金属ベルトの他端部を連結された第２の歯車と、一方向への回転で、前記第１、第２の歯車を前記接続用金属ベルトを緊張させる方向に回転させる第３の歯車と、その第３の歯車の他方向への回転を止める回転止め手段とを有することを特徴とする。
【０００７】
前記のように構成すると、接続用金属ベルトに引張り力が作用した際に、そのベルトが正極および負極に対してスリップし、これによりバッテリモジュールにおけるねじれの発生が回避される。
【０００８】
【発明の実施の形態】
図１〜１１は第１実施例を示す。図１，２において、バッテリ式電源装置１は合成樹脂（または金属）よりなるボックス２を備え、そのボックス２は、一端面に冷却風導入口３を有し、また他端部内に吸引ファン４を有する。そのボックス２内において、冷却風導入口３と吸引ファン４との間、つまりボックス２内中間部にバッテリ集合体５が収容されている。
【０００９】
バッテリ集合体５は、直列に接続された複数のバッテリ（セコンダリ・バッテリ）６を有する複数の棒状バッテリモジュール７を有し、それらバッテリモジュール７は、それらの軸線が１つの方向Ａと平行し、且つその方向Ａと交差する仮想平面Ｂにて各軸中心が縦方向および横方向に並ぶように配列されると共にそれらの軸線方向両端部および中間部にそれぞれ配置された３つの合成樹脂製グロメット組立体８に保持されている。各グロメット組立体８は鋼製フレーム部材９によって鋼製基板１０に固定されている。
【００１０】
全部のバッテリモジュール７は直列に接続されており、図２において、実線Ｌ1 は手前側の接続路を、一方、点線Ｌ2 は反対側の接続路をそれぞれ示し、また〔＋〕、〔−〕は手前側の正極、負極を、一方、（＋）、（−）は反対側の正極、負極をそれぞれ示す。左端の列において、最下位のバッテリモジュール７の反対側の正極（＋）と、その上のバッテリモジュール７の反対側の負極（−）は負荷（図示せず）に接続される。
【００１１】
図３〜５に示すように、１つのバッテリ６は、負極側の鋼製有底筒体１１と、その開口部に絶縁シールリング１２を介して取付けられた正極側の鋼製蓋板１３とを有する。実施例ではバッテリ６の内部構造は省略されている。蓋板１３に鋼製接続リング１４が溶接されている。接続リング１４は、大径短筒部１５と、その一端の周縁部分に連設された内向きの環状大径突出部１６と、その環状大径突出部１６の内周縁部分に連設された小径短筒部１７と、その小径短筒部１７の周縁部分に連設された内向きの環状小径突出部１８とを有し、その環状小径突出部１８の開口部分に蓋板１３の円形突出部１９が嵌合されている。合成樹脂製絶縁リング２０において、その短筒部２１が接続リング１４の大径短筒部１５外周面のほぼ半部に嵌着され、また内向きの環状突出部２２内面が接続リング１４の環状大径突出部１６外面に当接され、さらに環状突出部２２の開口部分は接続リング１４の小径短筒部１７外周面に密着され、さらにまた環状突出部２２外面の環状溝２３がバッテリ６の、絶縁シールリング１２を保持するビード部２４に嵌着される。
【００１２】
バッテリ６、接続リング１４および絶縁リング２０は１つのユニットＵを構成する。ユニットＵ相互は、一方の接続リング１４の大径短筒部１５に他方の有底筒体１１の底部側を嵌着して、その大径短筒部１５および有底筒体１１間を溶接することによって接続され、これを必要回数繰返して１つのアッセンブリＡＳが構成される。
【００１３】
アッセンブリＡＳの一端に存する接続リング１４の大径短筒部１５に、鋼製有底短筒体２５が、その底壁２６をバッテリ６側に向け嵌合されて溶接される。この有底短筒体２５は、これと嵌合関係にある接続リング１４との協働で正極２７を構成する。有底短筒体２５の開口縁に存するフランジ２８の外径は大径短筒部１５のそれよりも大であるが、絶縁リング２０の短筒部２１のそれよりも所定長さだけ小である。
【００１４】
アッセンブリＡＳの他端に存するユニットＵにおいて、バッテリ６の有底筒体１１底部に接続リング１４の大径短筒部１５が嵌合されて溶接される。また絶縁リング２０の短筒部２１が接続リング１４の大径短筒部１５外周面のほぼ半部に嵌着され、また内向きの環状突出部２２内面が接続リング１４の環状大径突出部１６外面に当接され、さらに環状突出部２２の開口部分は接続リング１４の小径短筒部１７外周面に密着する。接続リング１４に鋼製負極２９が溶接されている。負極２９は、大径短筒部３０と、その一端の周縁部分に連設された内向きの環状突出部３１と、その環状突出部３１の内周縁部分に連設された小径の有底短筒部３２とを有し、その有底短筒部３２が環状小径突出部１８の開口部分に嵌合され、また環状突出部３１外面が接続リング１４の環状小径突出部１８外面および絶縁リング２０の内向きの環状突出部２２外面、つまり環状溝２３の内、外周縁部に当接する。大径短筒部３０の開口縁に存するフランジ３３の外径は絶縁リング２０の短筒部２１のそれよりも所定長さだけ小である。
【００１５】
このように、アッセンブリＡＳの両端部に正極２７および負極２９をそれぞれ設けることによって棒状バッテリモジュール７が構成される。この場合、正極２７の内径は負極２９の内径よりも小である。
【００１６】
図６〜８に示すように、相隣る一方のバッテリモジュール７の正極２７と、他方のバッテリモジュール７の負極２９とは、正極２７の外周面と負極２９の外周面とにそれぞれ巻掛けられた接続用金属ベルト３４により接続されている。
【００１７】
この実施例においては接続用金属ベルト３４は無端状をなす。その金属ベルト３４の一方側は正極２７における接続リング１４の大径短筒部１５外周面に巻き掛けられ、有底短筒体２５のフランジ２８が金属ベルト３４の外れ止めをなす。金属ベルト３４の他方側は負極２９の大径短筒部３０外周面に巻き掛けられ、その大径短筒部３０のフランジ３３が金属ベルト３４の外れ止めをなす。
【００１８】
金属ベルト３４は合成樹脂製収納ケース３５内に収められており、その収納ケース３５の長円形をなす外板３６が正、負極２７，２９を覆っている。外板３６の内面側外周部に沿う周壁３７の両半円弧状部は、正、負極２７，２９側の絶縁リング２０における短筒部２１端面の半円弧状部にそれぞれ当接し、また外板３６の内面に存する２つの短円柱状突出部３８，３９が正、負極２７，２９の凹部４０，４１にそれぞれ嵌着している。
【００１９】
金属ベルト３４は、そのたるみを除去すべく、収納ケース３５に設けられた緊張手段Ｍ1 によって正極２７および負極２９に密着している。その緊張手段Ｍ1 は次のように構成されている。
【００２０】
即ち、図９にも示すように、ほぼ直方体形をなすと共に先端側を円弧面４２に形成されたスライダ４３が正、負極２７，２９間において、収納ケース３５内に配設されており、そのスライダ４３が、円弧面４２を金属ベルト３４における正、負極２７，２９間に存する一方の部分ａに接触させてその部分ａを他方の部分ｂに接近させるように前進し、これにより金属ベルト３４に引張り力が付与されてそのベルト３４が緊張する。
【００２１】
前記のように接続用金属ベルト３４に引張り力が作用すると、そのベルト３４が正極２７および負極２９に対してスリップし、これによりバッテリモジュール７におけるねじれの発生が回避される。
【００２２】
スライダ４３は、外板３６内面と、周壁３７の相対向する部分を繋ぐ連結板４４内面との間に挟まれており、その円弧面４２側の両側面に存する軸部４５が外板３６および連結板４４の長孔４６にそれぞれ摺動自在に挿通され、各軸部４５先端の円板部４７が各長孔４６の口縁に接触する。
【００２３】
収納ケース３５の周壁３７において、スライダ４３の基端と対向する厚肉部４８に貫通孔４９が形成され、その貫通孔４９に挿通されたボルト５０がスライダ４３の雌ねじ孔５１にねじ込まれている。またスライダ４３の凹部５２と厚肉部４８との間に圧縮ばね５３が配置され、この圧縮ばね５３の弾発力によってボルト５０の緩止めがなされる。
【００２４】
ボルト５０を往復回転させることによってスライダ４３が前進、後退し、またスライダ４３の前進限は軸部４５が長孔４６の一端部に当接することによって決められ、これにより金属ベルト３４に過度の引張り力が作用することを防止する。金属ベルト３４の正、負極２７，２９への巻掛けは、図１０に示すように、スライダ４３を後退させて、それにたるみを生じさせた状態で行われる。
【００２５】
収納ケース３５の両バッテリモジュール７からの外れ止めは、グロメット組立体８を利用して次のように構成されている。即ち、図２に示すように、合成樹脂製グロメット組立体８は二種のグロメットよりなる。第１グロメット５４は、図５，１１にも示すように、１つの側面５５と、それと反対側の側面５６に開口する２つの半円形の切欠き状凹部５７を備え、また前記側面５５，５６と直角の１つの側面５８と、それと反対側の側面５９は平坦に形成されている。各凹部５７の内周面中央部分には半環状の溝６０が存する。第２グロメット６１は第１グロメット５４を両凹部５７の最深部分間を通る２等分線で分割した形状を有し、したがって１つの半円形の切欠き状凹部５７を有する。第１グロメット５４は両バッテリモジュール７の接続と、その接続に用いられた相隣る両第１グロメット５４間の空間を埋めるために用いられ、一方、第２グロメット６１はグロメット組立体８の端部を形成し、また相隣る両第１グロメット５４間の空間を埋めるために用いられる。
【００２６】
第１グロメット５４は両バッテリモジュール７間に配置されて、両凹部５７が両棒状バッテリモジュール７における絶縁リング２０の短筒部２１の半外周面にそれぞれ嵌合される。第１グロメット５４はスライダ４３と対向する面に開口する長溝６２を有する。その長溝６２は、凹部５７の無い１つの側面５８から両凹部５７の最深部分間に延びており、その側面５８側に在って断面Ｕ字形をなす開口幅の広い第１溝部６３と、両凹部５７の最深部分側に在って断面凸字形をなす開口幅の狭い第２溝部６４とよりなる。
【００２７】
図４，９に示すように、スライダ４３の、長溝６２と対向する側の面に係合突起６５が設けられ、スライダ４３の後退位置では係合突起６５の軸部６６およびその軸部６６と一体の拡大頭部６７が第１溝部６３内に位置する。スライダ４３の前進限では、軸部６６が第２溝部６４の幅の狭い開口部分に入り込み、また拡大頭部６７が第２溝部６４の幅の広い奥部分に嵌合している。これにより、収納ケース３５の外れ止めがなされる。収納ケース３５は、それに被せられたゴム製カバー６８によって、その外面を覆われている。
【００２８】
図１２，１３は第２実施例を示す。この第２実施例においては、金属ベルト３４が正極２７および負極２９にＳ字状に巻掛けられている。その金属ベルト３４の一端部は、収納ケース３５の連結板４４の一端部および外板３６間に設けられた係止部６９に止められ、他端部は連結板４４の他端部側に在って回転可能な軸部材７０に連結されている。軸部材７０は連結板４４および外板３６間に回転可能に支持された軸部７１を有し、その軸部７１に金属ベルト３５の他端部が止められている。軸部７１と一体の六角頭部７２は外板３６の外面側に位置する。例えば、六角頭部７２を図１３、時計方向に回転させると、金属ベルト３４が軸部７１に巻取られて正、負極２７，２９間で緊張する。
【００２９】
軸部材７０はそれを軸線方向に貫通する雌ねじ孔７３を有し、その雌ねじ孔７３は左ねじを持つ。雌ねじ孔７３に小ねじ７４がねじ込まれており、その小ねじ７４は第１グロメット５４の雌ねじ孔７５にねじ込まれている。これにより、軸部材７０の反時計方向の回転は小ねじ７４を締付けることになるので、軸部材７０のその方向への回転が阻止されて、金属ベルト３４の緊張状態が維持される。
【００３０】
したがって、軸部材７０の雌ねじ孔７５、小ねじ７４および第１グロメット５４の雌ねじ孔７５は、軸部材７０の一方向への回転で金属ベルト３４を緊張させた状態にて、その軸部材７０の他方向への回転を止める回転止め手段Ｍ2 を構成する。また小ねじ７４および第１グロメット５４の雌ねじ孔７５は収納ケース３５の外れ止め手段として機能する。
【００３１】
図１４〜２０は第３実施例を示す。この第３実施例においては、収納ケース３５の両突出部３８，３９間に主歯車７６が、連結板４４側に一方の端面を寄せて配置され、その主歯車７６は外板３６および連結板４４間に渡した軸７７を介して収納ケース３５に回転可能に保持されている。主歯車７６の軸７７の一端部は収納ケース３５の外板３６から突出し、その突出部に外板３６側よりラチェット７８および操作用つまみ７９が順次設けられている。また図１５に明示するように、外板３６にラチェット７８に係合する戻り止め爪８０が軸８１を介して揺動自在に設けられており、主歯車７６は、図１６〜１８において反時計方向の回転のみを許容される。図１５において，８２は戻り止め爪８０の戻しばね、８３は戻しばね８２の係止ピン、８４は戻り止め爪８０のストッパである。
【００３２】
主歯車７６の両側には、その主歯車７６に噛合し、且つ一方の端面を連結板４４側に寄せた第１、第２副歯車８５，８６が配置され、それら副歯車８５，８６は外板３６および連結板４４間に渡した軸８７，８８を介して収納ケース３５に回転可能に保持されている。
【００３３】
金属ベルト３４は正極２７および負極２９にＳ字状に巻掛けられている。図１７に明示するように、金属ベルト３４の一端部は、第１副歯車８５の、図１７、時計方向の回転でそのベルト３４が牽引されるように、その第１副歯車８５端面の係止部８９に止められる。金属ベルト３４の他端部は、第２副歯車８６の、図１７、時計方向の回転でそのベルト３４が牽引されるように、その第２副歯車３８端面の係止部９０に止められる。
【００３４】
これにより、操作用つまみ７９を図１５、時計方向、したがって主歯車７６を図１６、反時計方向に回転させると、第１、第２副歯車８５，８６がそれぞれ図１６、時計方向に回転して金属ベルト３４が緊張する。
【００３５】
以上の構成において、第１副歯車８５は、正極２７および負極２９にＳ字状に巻掛けられた金属ベルト３４の一端部を連結された第１の歯車であり、また第２副歯車８６は金属ベルト３４の他端部を連結された第２の歯車であり、さらに主歯車７６は、一方向への回転で、第１、第２の歯車を金属ベルト３４を緊張させる方向に回転させる第３の歯車であり、さらにまたラチェット７８、戻り止め爪８０、戻しばね８２およびストッパ８４は、第３の歯車の他方向への回転を止める回転止め手段Ｍ3 を構成する。
【００３６】
図１９，２０に示すように、第１、第２副歯車８５，８６と第１グロメット５４との間には、第１実施例とほぼ同様の収納ケース３５用外れ止め手段が設けられている。即ち、図１９に明示するように、第１グロメット５４は第１、第２副歯車８５，８６と対向する面に開口する２つの円弧状長溝９１，９２を有する。一方の長溝９１は、両軸８７，８８の軸線を結ぶ直線よりも上側において第１副歯車８５と同心状に延び、且つ断面Ｕ字形をなす開口幅の広い第１溝部９３と、それの下側に連なって第１副歯車８５と同心状に延び、且つ断面凸字形をなす開口幅の狭い第２溝部９４とよりなる。他方の長溝９２は、両軸８７，８８の軸線を結ぶ直線よりも下側において第２歯車８６と同心状に延び、且つ断面Ｕ字形をなす開口幅の広い第１溝部９３と、それの上側に連なって第２副歯車８６と同心状に延び、且つ断面凸字形をなす開口幅の狭い第２溝部９４とよりなる。
【００３７】
第１、第２副歯車８５，８６の、長溝９１，９２と対向する端面に係合突起９５，９６が設けられている。図１８に明示するように、各係合突起９５，９６の軸部９７は収納ケース３５の連結板４４に存する長孔９８に挿通され、また図１９、鎖線示のように、金属ベルト３４がたるんだ状態では各軸部９７と一体の拡大頭部９９が長溝９１，９２の第１溝部９３に嵌込まれている。第１、第２副歯車８５，８６の回転限では、図１９、実線示のように、各軸部９７が第２溝部９４の幅の狭い開口部分に入り込み、また各拡大頭部９９が第２溝部９４の幅の広い奥部分に嵌合している。これにより、収納ケース３５の外れ止めがなされている。この場合、両拡大頭部９９の少なくとも一方を両第２溝部９４の奥端の少なくとも一方に当接させて主歯車７６の回転ストッパとして機能させることも可能である。
【００３８】
【発明の効果】
本発明によれば前記のように構成することによって、バッテリモジュールにおけるねじれの発生を回避して、相隣る両バッテリ間の接続部の破断防止を達成した、バッテリ集合体における正極と負極との接続構造を提供することができる。
【図面の簡単な説明】
【図１】  バッテリ式電源装置の斜視図である。
【図２】  全部のバッテリモジュールの接続構造を示す正面図であり、図１の２矢視図に相当する。
【図３】  上、下のバッテリモジュールの接続構造を示す断面図であって、図２の３−３線断面図に相当する。
【図４】  図３の要部拡大図である。
【図５】  上、下のバッテリモジュールの斜視図である。
【図６】  図３の６−６線断面図である。
【図７】  図３の７−７線断面図である。
【図８】  図３の８−８線断面図である。
【図９】  スライダ、圧縮ばねおよびボルトの関係を示す分解図である。
【図１０】  スライダの後退位置を示す要部断面図であって、図７に対応する。
【図１１】  図３の１１−１１線断面図である。
【図１２】  図４に対応する、上、下のバッテリモジュールの接続構造を示す断面図で、図１３の１２−１２線断面図に相当する。
【図１３】  図１２の１３−１３線断面図である。
【図１４】  図４に対応する、上、下のバッテリモジュールの接続構造を示す断面図で、図１５の１４−１４線断面図に相当する。
【図１５】  図１４の１５矢視図である。
【図１６】  図１４の１６−１６線断面図である。
【図１７】  図１４の１７−１７線断面図である。
【図１８】  図１４の１８−１８線断面図である。
【図１９】  図１４の１９−１９線断面図である。
【図２０】  図１６の２０−２０線断面図である。
【符号の説明】
５………………バッテリ集合体
６………………バッテリ
７………………棒状バッテリモジュール
２７……………正極
２９……………負極
３４……………接続用金属ベルト
３５……………収納ケース
７０……………軸部材
７６……………主歯車（第３の歯車）
８５……………第１副歯車（第１の歯車）
８６……………第２副歯車（第２の歯車）
Ａ………………方向
Ｂ………………仮想平面
Ｍ1 ……………緊張手段
Ｍ2 ，Ｍ3 ……回転止め手段
【図１】
0004163419.tif 000002
【図２】
0004163419.tif 000003
【図３】
0004163419.tif 000004
【図４】
0004163419.tif 000005
【図５】
0004163419.tif 000006
【図６】
0004163419.tif 000007
【図７】
0004163419.tif 000008
【図８】
0004163419.tif 000009
【図９】
0004163419.tif 000010
【図１０】
0004163419.tif 000011
【図１１】
0004163419.tif 000012
【図１２】
0004163419.tif 000013
【図１３】
0004163419.tif 000014
【図１４】
0004163419.tif 000015
【図１５】
0004163419.tif 000016
【図１６】
0004163419.tif 000017
【図１７】
0004163419.tif 000018
【図１８】
0004163419.tif 000019
【図１９】
0004163419.tif 000020
【図２０】
0004163419.tif 000021